(57)【要約】 【課題】番組データの配信状態を適切に表示できる記録再生装置を提供する。【解決手段】記録再生装置２００の処理部２５０は、ＥＰＧ取得制御手段にて、チューナ部２１０からのＥＰＧデータを取得してメモリ２４０に記憶させる。処理部２５０は、番組表表示制御手段の時間変更番組特定手段にて、番組表画面を表示させる旨の設定入力を認識すると、ＥＰＧデータをメモリ２４０から取得して、放送時間が延長される場合がある番組を延長番組として、この延長番組の放送時間が延長された際に連動して放送開始日時が遅れる番組を遅延番組として、それぞれ特定する。処理部２５０は、番組表表示制御手段の番組表画面設定手段にて、延長番組および遅延番組の基本情報の左側に野球のボール型の時間変更アイコンを表示させる。【選択図】  図１
2006050048.tif 000002
【特許請求の範囲】
【請求項１】
データの配信に関する配信情報を有するデータ関連情報を取得するデータ関連情報取得手段と、
前記配信情報に基づいて配信時間の時間長が延縮される場合がある第１のデータ、および前記１のデータの前記配信時間の延縮が生じることにより配信時間が変更される第２のデータを特定するデータ特定手段と、
前記第１のデータおよび前記第２のデータの前記配信情報の表示に加え、それぞれの配信時間の変更可能性を示唆する情報を表示手段に表示させる制御をする配信状態表示制御手段と、
を具備した
ことを特徴とした表示制御装置。
【請求項２】
請求項１に記載の表示制御装置であって、
前記データ関連情報は、前記データの内容を示す内容文字情報を有し、
前記配信状態表示制御手段は、前記第１のデータおよび前記第２のデータのそれぞれの前記配信情報および前記変更可能性を示唆する情報のうちの少なくともいずれか一方を前記内容文字情報の内容に対応した表示形態で表示させる制御をする
ことを特徴とした表示制御装置。
【請求項３】
請求項１または請求項２のいずれかに記載の表示制御装置であって、
前記配信状態表示制御手段は、前記第１のデータおよび前記第２のデータの前記配信情報および前記変更可能性を示唆する情報のうちの少なくともいずれか一方を前記延縮される時間長に対応した表示形態で表示させる制御をする
ことを特徴とした表示制御装置。
【請求項４】
請求項１ないし請求項３のいずれかに記載の表示制御装置であって、
前記配信状態表示制御手段は、前記第１のデータの前記配信情報および前記変更可能性を示唆する情報のうちの少なくともいずれか一方を前記第２のデータの前記少なくともいずれか一方とは異なる表示形態で表示させる制御をする
ことを特徴とした表示制御装置。
【請求項５】
請求項２ないし請求項４のいずれかに記載の表示制御装置であって、
前記表示形態は、表示の大きさ、明度、色相および彩度のうちの少なくともいずれか一つである
ことを特徴とした表示制御装置。
【請求項６】
請求項１ないし請求項５のいずれかに記載の表示制御装置であって、
前記データを取得するデータ取得手段に前記データを取得させる旨の要求情報を取得する要求情報取得手段と、
前記要求情報で取得が要求された前記データが前記第１のデータまたは前記第２のデータであることを認識すると、前記表示手段に表示させる前記第１のデータまたは前記第２のデータの取得条件を前記第１のデータおよび前記第２のデータ以外の前記データの取得条件とは異なる表示形態で表示させる制御をする取得条件表示制御手段と、
を具備したことを特徴とした表示制御装置。
【請求項７】
請求項６に記載の表示制御装置であって、
前記取得条件表示制御手段は、前記第１のデータまたは前記第２のデータの取得条件として取得時間の日時の変更を促す旨の取得日時変更促進情報を表示させる制御をする
ことを特徴とした表示制御装置。
【請求項８】
請求項７に記載の表示制御装置であって、
前記取得条件表示制御手段は、取得時間の日時を変更する際に前記延縮されない場合の配信時間の日時に対して加算または減算される所定時間を示す所定時間情報を前記取得日時変更促進情報として表示させる制御をする
ことを特徴とした表示制御装置。
【請求項９】
請求項８に記載の表示制御装置であって、
前記取得条件表示制御手段は、前記延縮される時間長を示す延縮時間情報を前記所定時間情報として表示させる制御をする
ことを特徴とした表示制御装置。
【請求項１０】
請求項１ないし請求項９のいずれかに記載の表示制御装置であって、
前記データ関連情報は、前記データの内容を示す内容文字情報を有し、
前記データ特定手段は、前記内容文字情報が前記延縮される場合がある旨を示す延縮文字情報を有していることを認識すると、この内容文字情報に対応する前記データを前記第１のデータとして特定する
ことを特徴とした表示制御装置。
【請求項１１】
請求項１ないし請求項１０のいずれかに記載の表示制御装置であって、
前記データ特定手段は、前記第１のデータの配信時間の終了日時を認識し、この終了日時から所定の時間内に配信される前記データを前記第２のデータとして特定する
ことを特徴とした表示制御装置。
【請求項１２】
演算手段により、データの配信状態を表示させる制御をする表示制御方法であって、
前記演算手段は、
データの配信に関する配信情報を有するデータ関連情報を取得し、
前記配信情報に基づいて配信時間の時間長が延縮される場合がある第１のデータ、および前記１のデータの前記配信時間の延縮が生じることにより配信時間が変更される第２のデータを特定し、
前記第１のデータおよび前記第２のデータの前記配信情報の表示に加え、それぞれの配信時間の変更可能性を示唆する情報を表示手段に表示させる制御をする
ことを特徴とする表示制御方法。
【請求項１３】
演算手段を請求項１ないし請求項１１のいずれかに記載の表示制御装置として機能させる
ことを特徴とした表示制御プログラム。
【発明の詳細な説明】
【技術分野】
【０００１】
本発明は、データの配信状態を表示させる制御をする表示制御装置、その方法、および、そのプログラムに関する。
【背景技術】
【０００２】
従来、放送波を利用して番組情報として送信されるＥＰＧ（Electric Program Guide）に基づいて電子番組表を表示させる構成が知られている（例えば、特許文献１参照）。
【０００３】
この特許文献１に記載のものは、番組予約装置と、ＶＴＲ（Video Tape Recorder）Ａと、ＶＴＲＢと、などを備えている。そして、ＶＴＲＡに予約番組１および予約番組２が録画予約されている状態において、番組予約装置にて、予約番組１が時間延長される可能性があると判断され、予約番組２との間に重複期間が発生したとすると、以下のような処理を行う。すなわち、この重複期間をなくすために、予約番組２をＶＴＲＡからＶＴＲＢに振り分ける処理を行う。
【０００４】
【特許文献１】特開２００２−１０１４９号公報（第６頁左欄−第６頁右欄）
【発明の開示】
【発明が解決しようとする課題】
【０００５】
しかしながら、上述したような特許文献１のような構成では、時間延長される可能性がある予約番組１と同じチャンネルで例えば予約番組１の次に放送される番組Ａの録画予約をする際に、この番組Ａの放送日時が遅れる可能性があるか否かを判断できないおそれがあるという問題点が一例として挙げられる。
【０００６】
本発明は、このような実情に鑑みて、データの配信状態を適切に表示可能な表示制御装置、その方法、および、そのプログラムを提供することを１つの目的とする。
【課題を解決するための手段】
【０００７】
請求項１に記載の発明は、データの配信に関する配信情報を有するデータ関連情報を取得するデータ関連情報取得手段と、前記配信情報に基づいて配信時間の時間長が延縮される場合がある第１のデータ、および前記１のデータの前記配信時間の延縮が生じることにより配信時間が変更される第２のデータを特定するデータ特定手段と、前記第１のデータおよび前記第２のデータの前記配信情報の表示に加え、それぞれの配信時間の変更可能性を示唆する情報を表示手段に表示させる制御をする配信状態表示制御手段と、を具備したことを特徴とした表示制御装置である。
【０００８】
請求項１２に記載の発明は、演算手段により、データの配信状態を表示させる制御をする表示制御方法であって、前記演算手段は、データの配信に関する配信情報を有するデータ関連情報を取得し、前記配信情報に基づいて配信時間の時間長が延縮される場合がある第１のデータ、および前記１のデータの前記配信時間の延縮が生じることにより配信時間が変更される第２のデータを特定し、前記第１のデータおよび前記第２のデータの前記配信情報の表示に加え、それぞれの配信時間の変更可能性を示唆する情報を表示手段に表示させる制御をすることを特徴とする表示制御方法である。
【０００９】
請求項１３に記載の発明は、演算手段を請求項１ないし請求項１１のいずれかに記載の表示制御装置として機能させることを特徴とした表示制御プログラムである。
【発明を実施するための最良の形態】
【００１０】
以下に、本発明の一実施の形態を図面に基づいて説明する。なお、本実施の形態では、本発明の表示制御装置を有する記録再生装置を例示して説明するが、これに限らず、各種データの配信状態を認識するいずれの構成でも適用できる。図１は、本実施の形態における記録再生システムの概略構成を示すブロック図である。図２は、記録再生装置を構成する処理部の概略構成を示す模式図である。図３は、番組表画面の一例を示す模式図である。図４は、録画予約設定画面の一例を示す模式図である。
【００１１】
〔記録再生システムの構成〕
図１において、１００は記録再生システムであり、例えばアナログ放送のテレビ番組の音声データや画像データなどを有するデータである番組データを記録したり、記録した番組データを再生するシステムである。そして、記録再生システム１００は、記録再生装置２００と、出力装置３００と、を備えている。
【００１２】
出力装置３００は、記録再生装置２００から入力される番組データなどを受信して出力する。そして、この出力装置３００は、音声出力部３１０と、表示手段としての表示部３２０と、などを備えている。音声出力部３１０は、例えば図示しないスピーカなどの発音手段を有している。この音声出力部３１０は、記録再生装置２００から音声信号として送信される音声データを発音手段から音声として出力させる。表示部３２０は、記録再生装置２００から画像信号として送信される画像データを表示させる。この表示部３２０としては、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１３】
記録再生装置２００は、放送波を利用して配信される音声データや画像データなどを有する番組データを取得して記録させるとともに、出力装置３００で出力させる処理をする。また、記録再生装置２００は、記録させた番組データを適宜再生して出力装置３００で出力させる処理をする。さらに、放送波を利用して所定の放送局から配信されるデータ関連情報としてのＥＰＧ（Electric Program Guide）データを取得して、このＥＰＧデータに基づいた番組表画面４００（図３参照）を出力装置３００で出力させる処理をする。そして、記録再生装置２００は、データ取得手段としても機能するチューナ部２１０と、入力部２２０と、記憶手段２３０と、メモリ２４０と、演算手段としての処理部２５０と、などを備えている。
【００１４】
チューナ部２１０には、放送波を受信する図示しないテレビアンテナが接続されている。このチューナ部２１０は、処理部２５０の制御により、テレビアンテナから送信される例えば複数のチャンネルに対応する各種データから所定のチャンネルに対応する各種データ、すなわち番組データまたはＥＰＧデータを取得して処理部２５０へ出力する。
【００１５】
ここで、ＥＰＧデータは、各番組にそれぞれ関する例えばテキスト形式の複数の番組個別情報が１つのデータとして構成されたテーブル構造である。そして、番組個別情報は、チャンネル情報と、タイトル情報と、番組詳細情報と、放送日時情報と、大ジャンル情報と、小ジャンル情報と、などを備えている。ここで、タイトル情報、放送日時情報、および、チャンネル情報が本発明の配信情報として、番組詳細情報および大ジャンル情報が本発明の内容文字情報として、それぞれ機能する。チャンネル情報は、チャンネル番号や放送局名などに関する情報である。タイトル情報は、番組名などに関する情報である。番組詳細情報は、番組詳細すなわち例えば番組の内容や出演者などに関する情報である。この番組詳細情報は、例えばスポーツ中継など放送時間が延長されることがある番組の場合、その旨を示す例えば「最大延長午後９時２４分まで」などの文字列も有する。ここで、番組詳細情報が有する「延長」の文字列が本発明の延縮文字情報として機能する。なお、以下において、スポーツ中継など放送時間が延長される場合がある番組を延長番組と称して説明する。また、延長番組が延長された際に連動して放送開始日時が遅れる番組を遅延番組と適宜称して説明する。さらに、延長番組および遅延番組をまとめて表現する際には、時間変更番組と適宜称して説明する。放送日時情報は、番組の放送開始日時および放送終了日時に関する情報である。大ジャンル情報は、例えば「スポーツ」、「バラエティ」、「ドラマ」など番組の大まかなジャンルに関する情報である。ここで、大ジャンル情報が有する「スポーツ」の文字列がスポーツ文字情報として機能する。小ジャンル情報は、例えば「野球」、「テニス」、「サッカー」など大ジャンル情報のジャンルよりも細かなジャンルに関する情報である。
【００１６】
入力部２２０は、図示しないリモートコントローラ（以下、リモコンと称す）と、記録再生装置２００の図示しない筐体の正面下部などに設けられた図示しない検出窓に臨んで配設された図示しないリモコン受光部と、などを備えている。リモコンは、図示しない、操作手段と、信号生成手段と、などを備えている。操作手段は、図示しないリモコンケースの例えば正面に臨んで入力操作可能に配設された図示しない各種操作ボタンや操作つまみなどを有している。この操作手段の入力操作の内容としては、例えば記録再生装置２００の動作内容、例えばチューナ部２１０で受信するチャンネルの設定、番組データの再生や録画の設定などが例示できる。信号生成手段は、入力操作に対応した操作信号を適宜生成して、赤外線を利用してリモコン受光部へ出力する。リモコン受光部は、リモコンからの赤外線を受光して、この赤外線の操作信号を処理部２５０へ出力することにより各種事項を設定させる。
【００１７】
記憶手段２３０は、処理部２５０の制御により番組データなどを適宜読み出し可能に記憶する。そして、記憶手段２３０は、ＨＤ（Hard Disk）に各種情報を読み出し可能に記憶させる図示しないＨＤドライブと、ＤＶＤ（Digital Versatile Disc）に各種情報を読み出し可能に記憶させる図示しないＤＶＤドライブと、を備えている。なお、ここでは、記憶手段２３０にＨＤドライブおよびＤＶＤドライブを備えた構成について例示するが、これに限らずいずれか一方のみを備えた構成や、他の磁気ディスクや光ディスクあるいはメモリカードなどの各種記録媒体に読み出し可能に記憶させるドライブやドライバなどを備えた構成、さらにはそれらを複数組み合わせた構成などとしてもよい。
【００１８】
メモリ２４０は、入力部２２０で入力操作される設定事項、処理部２５０で取得したり生成した各種情報、音声データや画像データあるいはＥＰＧデータなどを適宜読み出し可能に記憶する。また、メモリ２４０は、予約録画処理を実施する際に利用される録画予約情報を適宜読み出し可能に記憶する。この録画予約情報は、録画日付情報と、録画開始時刻情報と、録画終了時刻情報と、録画チャンネル情報と、録画モード情報と、記録先情報と、録画ジャンル情報と、録画タイトル情報と、などが１つのデータ構造として関連付けられて構成されている。録画日付情報は、録画を実施する日付に関する情報である。録画開始時刻情報は、録画を開始する時刻に関する情報である。録画終了時刻情報は、録画を終了する時刻に関する情報である。録画チャンネル情報は、録画する番組のチャンネルに関する情報である。録画モード情報は、録画モードに関する情報である。具体的には、例えば手動で設定する録画モード（以下、手動設定録画モードと称す）あるいは予め設定された所定のモード（以下、所定設定録画モードと称す）を示す情報である。記録先情報は、番組データを記憶させる記録媒体を特定するための情報である。録画ジャンル情報は、録画する番組のジャンルに関する情報である。録画タイトル情報は、録画する番組のタイトルに関する情報である。
【００１９】
さらに、メモリ２４０は、記録再生装置２００全体を動作制御するＯＳ（Operating System）上に展開される各種プログラムなどを記憶している。このメモリ２４０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２４０としては、ＨＤ、ＤＶＤ、光ディスクなどの記録媒体に読み出し可能に記憶するドライブやドライバなどを備えた構成としてもよい。
【００２０】
処理部２５０は、図示しない各種入出力ポート、例えば出力装置３００が接続される出力制御ポート、テレビアンテナが接続されるテレビ受信ポート、入力部２２０が接続されるキー入力ポート、記憶手段２３０が接続される記憶ポート、メモリ２４０が接続されるメモリポートなどを有する。そして、処理部２５０は、各種プログラムとして、図２に示すように、データ関連情報取得手段としてのＥＰＧ取得制御手段２５１と、番組表表示制御手段２５２と、録画予約設定手段２５３と、録画制御手段２５４と、再生制御手段２５５と、計時手段２５６と、などを備えている。
【００２１】
ＥＰＧ取得制御手段２５１は、チューナ部２１０の動作を制御してＥＰＧデータを適宜取得する。具体的には、ＥＰＧ取得制御手段２５１は、チューナ部２１０にて番組データを取得してない状態において計時手段２５６から後述する現在日時情報を適宜取得する。そして、ＥＰＧデータが配信される所定の時刻になったことを認識すると、チューナ部２１０の動作を適宜制御してＥＰＧデータを取得させる。さらに、ＥＰＧ取得制御手段２５１は、チューナ部２１０で取得させたＥＰＧデータを取得してメモリ２４０に適宜読み出し可能に記憶させる。
【００２２】
番組表表示制御手段２５２は、メモリ２４０に記憶されたＥＰＧデータに基づいて、例えば図３に示すような番組表画面４００を出力装置３００の表示部３２０で適宜表示させる。そして、番組表表示制御手段２５２は、データ特定手段としての時間変更番組特定手段２５２Ａと、配信状態表示制御手段としての番組表画面設定手段２５２Ｂと、を備えている。
【００２３】
時間変更番組特定手段２５２Ａは、ＥＰＧデータから時間変更番組を適宜特定する。具体的には、時間変更番組特定手段２５２Ａは、入力部２２０における入力操作に基づく番組表画面４００を表示させる旨やＥＰＧデータに基づく録画予約設定を実施する旨の操作信号を取得すると、メモリ２４０からＥＰＧデータを取得する。さらに、このＥＰＧデータから番組詳細情報が番組が延長される場合がある旨を示す例えば「延長」の文字列を有し、かつ、大ジャンル情報で示されるジャンルが「スポーツ」の番組個別情報を検索する。そして、この検索した番組個別情報に対応する番組を延長番組として特定する。なお、ここでは、番組が延長される場合がある旨を示す文字列として「延長」を例示するが、これに限らず「変更」、「延びる」など、延長される場合がある旨を示すいかなる文字列としてもよい。また、大ジャンル情報のジャンルが延長される場合がある例えば報道番組に対応する「ニュース」の番組個別情報を検索する構成など、適宜他のジャンルの番組を延長番組として検索する構成などとしてもよい。
【００２４】
そして、時間変更番組特定手段２５２Ａは、延長番組を検索できた場合、番組個別情報の放送日時情報に基づいて、この延長番組の放送終了時刻を認識する。ここで、番組詳細情報の例えば「最大延長午後９時２４分まで」の文字列で示される時刻を延長番組の放送終了時刻として認識する構成としてもよい。なお、この検索した延長番組の番組データが本発明の第１のデータとして機能する。そして、時間変更番組特定手段２５２Ａは、延長番組の放送終了時刻が例えば午前５時から午前１２時までの時間帯（以下、朝時間帯と称す）であることを認識すると、延長番組が放送されるチャンネルにおいて、この延長番組よりも後に放送され放送開始時刻が朝時間帯の番組を遅延番組として特定する。また、放送終了時刻が午前１２時から午後７時までの時間帯（以下、昼夕時間帯と称す）であることを認識すると、この延長番組よりも後に放送され放送開始時刻が昼夕時間帯の番組を遅延番組として特定する。さらに、放送終了時刻が午後７時から翌日午前５時までの時間帯（以下、夜時間帯と称す）であることを認識すると、この延長番組よりも後に放送され放送開始時刻が夜時間帯の番組を遅延番組として特定する。ここで、例えば朝時間帯に延長番組が存在する場合、朝時間帯における延長番組以降の番組の休止や放送時間の短縮により、昼夕時間帯の番組の放送日時が遅らされないように調整されることが多い。また、昼夕時間帯や夜時間帯に延長番組が存在する場合にも同様に調整されることが多い。このため、上述したような処理で遅延番組を特定する構成としている。なお、この特定した遅延番組の番組データが本発明の第２のデータとして機能する。また、ここでは、放送開始時刻が各時間帯の番組を遅延番組として特定する構成を例示するが、これに限らず例えば放送終了時刻が各時間帯の番組を遅延番組として特定する構成などとしてもよい。
【００２５】
番組表画面設定手段２５２Ｂは、ＥＰＧデータや時間変更番組特定手段２５２Ａにおける時間変更番組の特定処理結果などに基づいて、番組表画面４００の表示形態を適宜設定して出力装置３００で適宜表示させる。具体的には、番組表画面設定手段２５２Ｂは、ＥＰＧデータを取得して、ＥＰＧデータに基づく番組表画面４００を表示部３２０の図示しない表示領域で表示させる制御をする。なお、ここでは、チャンネル別の番組表画面４００を表示させる構成を例示して説明するが、例えばジャンル別や時間別など他の構成の番組表画面を表示させる際にも同様に表示される。そして、番組表画面４００は、基本情報領域４１０と、内容情報領域４２０と、操作選択領域４３０と、受信画像領域４４０と、２つの広告画像領域４５０と、を備えている。なお、ここでは、番組表画面４００が上述した各領域４１０，４２０，４３０，４４０，４５０を備えている構成について例示するが、例えば各領域４４０，４５０を備えない構成など適宜他の構成としてもよい。
【００２６】
基本情報領域４１０は、番組表画面４００における右側から左右方向中央左寄りにかけて設けられている。この基本情報領域４１０における上方略中央には、例えばＥＰＧデータのチャンネル情報に基づくチャンネル名４１１が表示される。さらに、チャンネル名４１１の下方には、このチャンネル名４１１のチャンネルで放送される各番組に関する複数の基本情報４１２が上下方向に並んで表示される。そして、この基本情報４１２は、番組個別情報の放送日時情報に基づく、放送日付４１３と、放送開始時刻４１４と、タイトル情報に基づく番組名４１５と、を備えている。また、各基本情報４１２のそれぞれの左側には、録画予約が設定されている番組である旨を示す録画予約アイコン４１６、または、時間変更番組である旨を示す野球のボール型の変更可能性を示唆する情報としての時間変更アイコン４１７が適宜表示される。ここで、変更可能性を示唆するとは、放送時間が延長される場合がある旨を示唆する、および、延長番組が延長された際に連動して放送開始日時が遅れる場合がある旨を示唆することを意味する。なお、ここでは、時間変更アイコン４１７として野球のボール型のものを例示するが、これに限らず例えば「時間変更」の文字列を示すものやサッカーのボール型のものなど、適宜他の形態としてもよい。さらに、基本情報領域４１０における右側には、現在表示されている基本情報４１２の番組の前後に放送される番組に関する基本情報４１２が存在するか否かを示すスクロールバー４１８が表示される。また、基本情報領域４１０には、複数の基本情報４１２のうちのいずれか１つの基本情報４１２およびこの基本情報４１２に対する各アイコン４１６，４１７を囲む状態に、選択カーソル４１９が表示される。そして、この選択カーソル４１９は、入力部２２０における入力操作に基づく操作信号により上下方向に適宜移動される。
【００２７】
内容情報領域４２０は、基本情報領域４１０の下方に設けられている。この内容情報領域４２０には、選択カーソル４１９で囲まれた基本情報４１２の番組に関する各種情報が表示される。具体的には、内容情報領域４２０における上方左側には放送日時４２１およびチャンネル名４２２が左右方向に並んで表示され、上下方向略中央から下方にかけてには番組個別情報の番組詳細情報に基づく番組内容４２３が表示される。
【００２８】
操作選択領域４３０は、内容情報領域４２０の下方に設けられている。この操作選択領域４３０には、選択カーソル４１９で囲まれた基本情報４１２の番組の録画予約を設定する際に選択されるＥｎｔｅｒボタン４３１と、番組表画面４００の表示を終了する際に選択されるＥｘｉｔボタン４３２と、が左右方向に並んで表示される。
【００２９】
受信画像領域４４０は、基本情報領域４１０の左方に、かつ、番組表画面４００における左隅部近傍に設けられている。この受信画像領域４４０には、チューナ部２１０で現在取得している番組データの画像データが適宜表示される。
【００３０】
広告画像領域４５０は、受信画像領域４４０の下方において上下方向に並んで設けられている。この広告画像領域４５０には、例えばＥＰＧデータとともに配信される広告データが適宜表示される。
【００３１】
録画予約設定手段２５３は、録画予約の設定処理を適宜実施する。そして、録画予約設定手段２５３は、要求情報取得手段としても機能する取得条件表示制御手段としての予約画面表示制御手段２５３Ａと、録画予約情報生成手段２５３Ｂと、などを備えている。
【００３２】
予約画面表示制御手段２５３Ａは、例えば図４に示すような録画予約設定画面５００を出力装置３００で適宜表示させる。具体的には、予約画面表示制御手段２５３Ａは、いずれかの基本情報４１２が選択カーソル４１９で囲まれている状態において、入力部２２０における入力操作に基づくＥｎｔｅｒボタン４３１を選択する旨の操作信号を取得すると、基本情報４１２の左側に時間変更アイコン４１７が表示されているか否かを判断する。すなわち、選択された番組が時間変更番組か否かを判断する。そして、この判断に基づいた表示形態で、録画予約設定画面５００を表示部３２０の表示領域で表示させる制御をする。
【００３３】
ここで、録画予約設定画面５００は、第１の設定条件領域群５１０と、第２の設定条件領域群５２０と、確定選択領域５３０と、操作選択領域５４０と、などを備えている。
【００３４】
第１の設定条件領域群５１０は、録画予約設定画面５００における上方に設けられている。そして、この第１の設定条件領域群５１０は、左右方向に並んで表示される、録画日付領域５１１と、録画開始時刻領域５１２と、録画終了仮時刻領域５１３と、録画チャンネル領域５１４と、録画設定モード領域５１５と、などを備えている。
【００３５】
録画日付領域５１１は、録画を実施する日付が表示される略長方形形状の録画日付部５１１Ａを備えている。この録画日付部５１１Ａには、例えば選択カーソル４１９で囲まれた基本情報４１２の放送日付４１３が表示される。
【００３６】
録画開始時刻領域５１２は、録画を開始する時刻が表示される略正方形形状の２つの録画開始時刻部５１２Ａを備えている。この録画開始時刻部５１２Ａには、例えば選択カーソル４１９で囲まれた基本情報４１２の放送開始時刻４１４が表示される。
【００３７】
録画終了仮時刻領域５１３は、録画を終了する仮時刻が表示される略正方形形状の２つの録画終了仮時刻部５１３Ａを備えている。この録画終了仮時刻部５１３Ａには、例えば選択カーソル４１９で囲まれた基本情報４１２に対応する番組の放送日時情報に基づく放送終了時刻が表示される。
【００３８】
録画チャンネル領域５１４は、録画する番組が放送されるチャンネルが表示される略長方形形状の録画チャンネル部５１４Ａを備えている。この録画チャンネル部５１４Ａには、例えば選択カーソル４１９で囲まれた基本情報４１２の番組に対応するチャンネル情報に基づくチャンネルが表示される。
【００３９】
録画設定モード領域５１５は、録画モードが表示される略長方形形状の録画モード部５１５Ａを備えている。この録画モード部５１５Ａには、例えば前回の録画予約時に設定された例えば手動設定録画モードを示す「ＭＮｉ（ｉは例えば１〜３２の自然数）」や、所定設定録画モードを示す「ＦＩＮＥ」、「ＳＰ」、「ＬＰ」、「ＥＰ」、「ＳＬＰ」などの文字列が表示される。
【００４０】
第２の設定条件領域群５２０は、第１の設定条件領域群５１０の下方に設けられている。そして、この第２の設定条件領域群５２０は、左右方向に並んで表示される、記録先領域５２１と、ジャンル領域５２２と、延長時間領域５２４と、予約設定領域５２５と、タイトル名領域５２６と、などを備えている。
【００４１】
記録先領域５２１は、番組データを記録する記録媒体の種類が表示される略長方形形状の記録先部５２１Ａを備えている。この記録先部５２１Ａには、例えば前回の録画予約時に設定された、記録媒体が例えばＨＤである旨を示す「ＨＤＤ」やＤＶＤである旨を示す「ＤＶＤ」などの文字列が表示される。
【００４２】
ジャンル領域５２２は、録画する番組のジャンルが表示される略長方形形状の録画ジャンル部５２２Ａを備えている。この録画ジャンル部５２２Ａには、例えば選択カーソル４１９で囲まれた基本情報４１２に対応する番組の大ジャンル情報に基づく例えば「バラエティ」などの文字列が表示される。
【００４３】
延長時間領域５２４は、録画時間を延長させる時間が表示される略長方形形状の延長時間部５２４Ａを備えている。ここで、延長時間部５２４Ａに表示される時間が、本発明の取得日時変更促進情報としても機能する。そして、この延長時間部５２４Ａには、最初に録画時間を３０分延長する旨の「３０分」の文字列が表示される。さらに、１時間延長する旨の「６０分」、１時間３０分延長する旨の「９０分」、２時間延長する旨の「１２０分」、延長しない旨の「０分」の文字列が適宜表示される。なお、ここでは、延長する時間を上述したように３０分間隔で設定可能に表示する構成について例示するが、これに限らず例えば１５分間隔や１時間間隔あるいは１分間隔で設定可能に表示する構成などとしてもよい。
【００４４】
予約設定領域５２５は、録画予約の設定状態に関する情報が表示される略長方形形状の予約設定部５２５Ａを備えている。この予約設定部５２５Ａには、例えば各領域５１１〜５１５，５２１〜５２６の内容で予約を確定する旨を示す「予約確定」などの文字列が表示される。
【００４５】
タイトル名領域５２６は、録画する番組のタイトルが表示される略長方形形状のタイトル部５２６Ａを備えている。このタイトル部５２６Ａには、例えば選択カーソル４１９で囲まれた基本情報４１２に対応する番組のタイトル情報に基づくタイトルが表示される。
【００４６】
確定選択領域５３０は、第２の設定条件領域群５２０の下方に設けられている。この確定選択領域５３０には、各領域群５１０，５２０に表示された内容で録画予約を確定する際に選択される略長方形形状の確定ボタン５３１と、録画予約を確定しない際に選択される略長方形形状の非確定ボタン５３２と、が左右方向に並んで表示される。
【００４７】
操作選択領域５４０は、確定選択領域５３０の下方に設けられている。この操作選択領域５４０には、各領域５１１〜５１５，５２１〜５２６、および、各ボタン５３１，５３２のうちのいずれか１つに表示される設定カーソル５５０を移動させる際に選択されるＳｅｌｅｃｔボタン５４１と、各領域５１１〜５１５，５２１〜５２６の表示内容を変更する際に選択される略長方形形状のＥｎｔｅｒボタン５４２と、録画予約設定画面５００の表示を終了する際に選択される略長方形形状のＥｘｉｔボタン５４３と、が左右方向に並んで表示される。
【００４８】
そして、予約画面表示制御手段２５３Ａは、選択された番組が時間変更番組であると判断すると、例えば図４に示すように、最初に延長時間領域５２４に設定カーソル５５０を表示させる。さらに、この延長時間部５２４Ａに、延長番組が延長される時間にかかわらず録画時間を３０分延長する旨を示す「３０分」を表示させる。なお、ここでは、延長される時間によらず録画時間を３０分延長する旨を表示させる構成について例示するが、これに限らず例えば１時間、１時間３０分、２時間延長する旨を最初に表示させる構成など、適宜他の構成などとしてもよい。また、選択された番組が時間変更番組ではないことを認識すると、ここでは図示しないが、最初に確定ボタン５３１に設定カーソル５５０を表示させるとともに、延長時間部５２４Ａに録画時間を延長しない旨を示す「０分」を表示させる。
【００４９】
また、予約画面表示制御手段２５３Ａは、入力部２２０における入力操作に基づく録画予約を手動で設定する旨の操作信号を取得すると、各部５１１Ａ〜５１５Ａ，５２１Ａ〜５２６Ａに例えば各種情報が表示されない録画予約設定画面５００を表示させる。ここで、現在日時を録画日付部５１１Ａや録画開始時刻部５１２Ａに表示させたり、チューナ部２１０に対して設定されているチャンネルを録画チャンネル部５１４Ａに表示させる構成などとしてもよい。そして、入力部２２０のＥｎｔｅｒボタン５４２を選択する旨の操作信号に対応する各種情報を、５１１Ａ〜５１５Ａ，５２１Ａ〜５２６Ａに表示させる。
【００５０】
録画予約情報生成手段２５３Ｂは、録画予約設定画面５００の内容に基づいて、録画予約情報を生成する。具体的には、録画予約情報生成手段２５３Ｂは、例えば録画予約設定画面５００が表示された状態において、入力部２２０における入力操作に基づく確定ボタン５３１を選択する旨の操作信号を取得すると、録画予約を設定する旨の要求を認識する。そして、録画予約設定画面５００に表示された内容に基づいて、録画予約情報を生成する。すなわち、延長時間部５２４Ａに録画時間を延長しない旨を示す「０分」が表示されている場合、録画日付部５１１Ａの日付を録画日付情報として、録画開始時刻部５１２Ａの時刻を録画開始時刻情報として、録画終了仮時刻部５１３Ａの時刻を録画終了時刻情報として、録画チャンネル部５１４Ａのチャンネルを録画チャンネル情報として、録画モード部５１５Ａの録画モードを録画モード情報として、記録先部５２１Ａの記録媒体を記録先情報として、録画ジャンル部５２２Ａのジャンルを録画ジャンル情報として、タイトル部５２６Ａのタイトルを録画タイトル情報として、組み込んだ録画予約情報を生成する。そして、この録画予約情報をメモリ２４０に記憶させる。また、延長時間部５２４Ａに延長する旨を示す文字列、すなわち「０分」以外の文字列が表示されている場合、録画終了仮時刻部５１３Ａの時刻から延長時間部５２４Ａの時間が経過した時刻を録画終了時刻情報として組み込んだ録画予約情報を生成する。
【００５１】
なお、ＥＰＧ取得制御手段２５１、時間変更番組特定手段２５２Ａ、番組表画面設定手段２５２Ｂ、予約画面表示制御手段２５３Ａにて、本発明の表示制御装置が構成されている。ここで、本発明の表示制御装置としては、予約画面表示制御手段２５３Ａを備えない構成としてもよい。
【００５２】
録画制御手段２５４は、番組データを記憶手段２３０へ記憶させる制御をする。具体的には、録画制御手段２５４は、メモリ２４０に記憶された録画予約情報に基づいて、チューナ部２１０の動作を適宜制御して、計時手段２５６で計時する現在時刻が録画開始時刻情報の時刻となる番組データを取得させる。そして、チューナ部２１０で取得させた番組データを取得して記憶手段２３０へ記憶させる。また、録画制御手段２５４は、利用者の所望の番組の番組データを取得して記憶手段２３０へ記憶させる制御をする。具体的には、録画制御手段２５４は、入力部２２０における入力操作に基づく操作信号によりチューナ部２１０で現在取得している番組データを取得する。そして、この番組データを記憶手段２３０へ記憶させる。
【００５３】
再生制御手段２５５は、記憶手段２３０に記憶された番組データを出力装置３００へ出力して再生させる処理をする。具体的には、再生制御手段２５５は、入力部２２０における入力操作に基づく操作信号により特定、例えば出力装置３００で一覧表示されるサムネイルを選択する入力操作などにて特定された番組データ、あるいは、いわゆるタイマ再生などあらかじめ所定時間に再生要求されている番組データを記憶手段２３０から読み出す。そして、この番組データを出力装置３００へ出力させて再生する。
【００５４】
計時手段２５６は、例えば内部クロックなどの基準パルスに基づいて現在日時を計時する。そして、この計時した現在日時に関する現在日時情報を適宜出力する。
【００５５】
〔記録再生システムの動作〕
次に、記録再生システム１００の動作として、ＥＰＧデータを用いた録画予約設定処理について図面を参照して説明する。なお、ここでは、午後７時から午後８時５４分まで放送される「野球中継」の番組個別情報が「最大延長午後９時２４分まで」の文字列を有する番組詳細情報と、ジャンルが「スポーツ」である旨の大ジャンル情報と、を有する、例えば図３に示すような内容のＥＰＧデータを用いた録画予約設定処理を例示して説明する。図５および図６は、ＥＰＧデータを用いた録画予約設定処理を示すフローチャートである。
【００５６】
まず、利用者は、入力部２２０の入力操作により、ＥＰＧデータを用いた録画予約設定処理を実施する旨を設定入力する。そして、記録再生装置２００は、番組表表示制御手段２５２の時間変更番組特定手段２５２Ａにて、ＥＰＧデータを用いた録画予約設定処理を実施する旨の要求を認識すると、メモリ２４０に記憶されたＥＰＧデータを取得する（ステップＳ１０１）。この後、時間変更番組特定手段２５２Ａは、このＥＰＧデータから延長番組を検索して、検索できたか否かを判断する（ステップＳ１０２）。
【００５７】
このステップＳ１０２において、番組表表示制御手段２５２は、時間変更番組特定手段２５２Ａで延長番組を検索できない、すなわち時間変更番組が存在しないと判断した場合、番組表画面設定手段２５２Ｂにて番組表画面４００の表示形態を時間変更アイコン４１７を表示させない形態に設定する（ステップＳ１０３）。この後、番組表画面設定手段２５２Ｂは、設定した表示形態に基づいた番組表画面４００を出力装置３００で表示させる（ステップＳ１０４）。ここで、ステップＳ１０３の処理を実施している場合、上述したように時間変更アイコン４１７が存在しない番組表画面４００を表示させる。
【００５８】
一方、ステップＳ１０２において、時間変更番組特定手段２５２Ａは、延長番組を検索できたと判断した場合、この延長番組の放送終了時刻を認識する（ステップＳ１０５）。ここでは、「最大延長午後９時２４分まで」の番組詳細情報と、「スポーツ」の大ジャンル情報と、を有する番組個別情報に対応する「野球中継」を延長番組として特定する。そして、この「野球中継」の放送終了時刻が午後８時５４分である旨を認識する。この後、この認識した放送終了時刻が朝時間帯か否かを判断する（ステップＳ１０６）。
【００５９】
このステップＳ１０６において、朝時間帯であると判断した場合、この延長番組よりも後に放送され放送開始時刻が朝時間帯の番組を遅延番組として特定する（ステップＳ１０７）。そして、番組表画面設定手段２５２Ｂは、番組表画面４００の表示形態を、延長番組および遅延番組すなわち時間変更番組に対応する基本情報４１２の左側に時間変更アイコン４１７を表示させる形態に設定する（ステップＳ１０８）。この後、番組表画面設定手段２５２Ｂは、ステップＳ１０４の処理を実施して、番組表画面４００を出力装置３００で表示させる。ここで、ステップＳ１０８の処理を実施している場合、上述したように時間変更アイコン４１７が存在する例えば図３に示すような番組表画面４００を表示させる。
【００６０】
また、ステップＳ１０６において、朝時間帯ではないと判断した場合、昼夕時間帯か否かを判断する（ステップＳ１０９）。このステップＳ１０９において、昼夕時間帯であると判断した場合、この延長番組よりも後に放送され放送開始時刻が昼夕時間帯の番組を遅延番組として特定する（ステップＳ１１０）。そして、番組表画面設定手段２５２Ｂは、ステップＳ１０８の処理を実施する。一方、ステップＳ１０９において、昼夕時間帯でないと判断した場合、夜時間帯であると判断する。そして、この延長番組よりも後に放送され放送開始時刻が夜時間帯の番組を遅延番組として特定して（ステップＳ１１１）、ステップＳ１０８の処理を実施する。ここでは、延長番組である「野球中継」の放送終了時刻が夜時間帯であると判断し、この「野球中継」よりも後に放送され放送開始時刻が夜時間帯の番組、例えば「タンガの虎」、「私はハーモニカ」、「８回目の挨拶」、「１１時からのニュース」など、放送開始時刻が翌日の午前５時までの番組を遅延番組として特定する。そして、延長番組として特定した「野球中継」、遅延番組として特定した、「タンガの虎」、「私はハーモニカ」、「８回目の挨拶」、「１１時からのニュース」などの基本情報４１２の左側に時間変更アイコン４１７を表示させる。
【００６１】
この後、利用者は、入力部２２０の入力操作により、録画予約を設定したい番組の基本情報４１２に選択カーソル４１９を移動させて、例えば図３に示すように「野球中継」の基本情報４１２に選択カーソル４１９を移動させて、Ｅｎｔｅｒボタン４３１を選択する旨を設定入力する。そして、記録再生装置２００は、録画予約設定手段２５３の予約画面表示制御手段２５３Ａにて、利用者により選択された番組を認識して（ステップＳ１１２）、この選択された番組が時間変更番組か否かを判断する（ステップＳ１１３）。このステップＳ１１３において、時間変更番組でないと判断した場合、設定カーソル５５０を確定ボタン５３１に位置させ、かつ、延長時間部５２４Ａに「０分」を表示させた録画予約設定画面５００を表示させる（ステップＳ１１４）。そして、録画予約設定手段２５３は、録画予約情報生成手段２５３Ｂにて、確定ボタン５３１を選択する旨の設定入力を認識すると、録画終了仮時刻部５１３Ａの時刻を録画を終了する時刻として認識して（ステップＳ１１５）、この録画を終了する時刻などを組み込んだ録画予約情報を生成する。この後、メモリ２４０に記憶させることにより録画予約を設定して（ステップＳ１１６）、ＥＰＧデータを用いた録画予約設定処理を終了する。
【００６２】
一方、ステップＳ１１３において、時間変更番組であると判断した場合、設定カーソル５５０を延長時間部５２４Ａに位置させ、かつ、この延長時間部５２４Ａに「３０分」を表示させた録画予約設定画面５００を表示させる（ステップＳ１１７）。そして、録画予約情報生成手段２５３Ｂは、確定ボタン５３１を選択する旨の設定入力を認識すると、録画終了仮時刻部５１３Ａの時刻から延長時間部５２４Ａの時間が経過した時刻を録画を終了する時刻として認識して（ステップＳ１１８）、ステップＳ１１６の処理を実施する。ここでは、録画終了仮時刻部５１３Ａの午後８時５４分から延長時間部５２４Ａの３０分間が経過した時刻である午後９時２４分を録画を終了する時刻として認識し、ステップＳ１１６の処理を実施する。
【００６３】
〔記録再生システムの作用効果〕
上述したように、上記実施の形態では、記録再生装置２００の処理部２５０は、ＥＰＧ取得制御手段２５１にて、チューナ部２１０からのＥＰＧデータを取得してメモリ２４０に記憶させる。この後、処理部２５０は、番組表表示制御手段２５２の時間変更番組特定手段２５２Ａにて、番組表画面４００を表示させる旨の設定入力を認識すると、ＥＰＧデータをメモリ２４０から取得する。そして、時間変更番組特定手段２５２Ａは、このＥＰＧデータに基づいて、放送時間が延長される場合がある番組を延長番組として、この延長番組の放送時間が延長された際に連動して放送開始日時が遅れる番組を遅延番組として、それぞれ特定する。この後、処理部２５０は、番組表表示制御手段２５２の番組表画面設定手段２５２Ｂにて、時間変更番組の基本情報４１２の左側に野球のボール型の時間変更アイコン４１７を表示させる制御をする。このため、利用者は、番組表画面４００の各番組に関する基本情報４１２とともに表示される時間変更アイコン４１７により、所定の番組の放送日時が変更される場合があるか否かを判断できる。また、利用者は、放送時間が延長される場合がある延長番組に加えてこの延長番組の延長に連動して放送開始日時が遅れる場合がある遅延番組も、放送日時が変更される場合がある番組として認識できる。さらに、利用者は、時間変更アイコン４１７の表示の有無を認識するだけの簡単な方法で放送日時が変更される場合があるか否かを判断できる。したがって、記録再生装置２００は、番組データの配信状態を適切に表示させることができる。
【００６４】
また、処理部２５０は、録画予約設定手段２５３の予約画面表示制御手段２５３Ａにて、録画予約する番組として時間変更番組が選択された旨を認識すると、最初に設定カーソル５５０を延長時間領域５２４に表示させる。一方で、録画予約する番組として時間変更番組以外の番組が選択された旨を認識すると、最初に設定カーソル５５０を確定ボタン５３１に表示させる。このため、利用者は、録画予約を設定する際に設定カーソル５５０の最初の表示位置に基づいて、録画予約する番組が時間変更番組か否かを認識できる。したがって、記録再生装置２００は、録画予約設定画面５００の表示時においても、番組データの配信状態を適切に表示させることができる。
【００６５】
そして、予約画面表示制御手段２５３Ａは、時間変更番組の録画予約設定処理において、最初に設定カーソル５５０を延長時間領域５２４に表示させることにより、利用者に延長時間部５２４Ａの設定すなわち録画を終了する時刻の変更を促す。このため、利用者は、設定カーソル５５０を移動させる設定入力を実施することなく録画を終了する時刻を変更できる。したがって、記録再生装置２００の使い勝手を向上できる。
【００６６】
さらに、予約画面表示制御手段２５３Ａは、延長時間部５２４Ａに延長する録画時間を示す「３０分」、「６０分」、「９０分」、「１２０分」などを表示させる。このため、利用者は、延長時間部５２４Ａに表示される上述したいずれか１つを選択する旨の設定入力を実施するだけでよく、例えば利用者が「３０分」の文字列を設定入力する構成と比べて延長する録画時間の設定をより容易にできる。したがって、記録再生装置２００の使い勝手をさらに向上できる。
【００６７】
また、時間変更番組特定手段２５２Ａは、ＥＰＧデータから放送時間が延長される場合がある旨を示す「延長」の文字列を有する番組個別情報を検索し、この検索した番組個別情報に対応する番組を延長番組として特定する。このため、時間変更番組特定手段２５２Ａは、放送時間が延長される場合がある旨を示す文字列を検索するだけの簡単な方法で延長番組を特定できる。したがって、時間変更番組特定手段２５２Ａの処理負荷を最小限に抑えることができ、延長番組の特定処理の高速化を容易に図ることができる。
【００６８】
さらに、時間変更番組特定手段２５２Ａは、ＥＰＧデータからジャンルが「スポーツ」である旨を示す大ジャンル情報を有する番組個別情報を検索し、この検索した番組個別情報に対応する番組を延長番組として特定する。このため、時間変更番組特定手段２５２Ａは、例えば番組詳細情報で示される番組内容に「延長」の文字列が含まれるだけで、実際には放送時間が延長されないドラマを延長番組として特定する誤った処理を実施することがない。したがって、記録再生装置２００は、番組データの配信状態をより適切に表示させることができる。
【００６９】
そして、時間変更番組特定手段２５２Ａは、延長番組の放送終了時刻が朝時間帯、昼夕時間帯、夜時間帯のうちのいずれかであることを認識し、この認識した時間帯に放送が開始される番組を遅延番組として特定する。このため、延長番組の終了から例えば１０時間後から始まる番組など、統計的に延長番組の延長に連動して放送開始時刻が遅れることが少ない番組を遅延番組として特定することがない。したがって、記録再生装置２００は、番組データの配信状態をさらに適切に表示させることができる。
【００７０】
〔実施の形態の変形〕
なお、本発明は、上述した一実施の形態に限定されるものではなく、本発明の目的を達成できる範囲で以下に示される変形をも含むものである。
【００７１】
すなわち、番組が時間変更番組か否かに基づいて時間変更アイコン４１７の表示の有無を設定する構成について例示したが、これに限らず例えば以下のような構成などとしてもよい。すなわち、時間変更アイコン４１７を表示させずに、基本情報４１２の文字や背景の表示色により時間変更番組か否かを表示させる構成などとしてもよい。また、例えば時間変更番組の基本情報４１２の文字を点滅状態で表示させ、時間変更番組以外の番組の基本情報４１２の文字を点灯状態で表示させる構成などとしてもよい。これらのような構成にすれば、利用者は、例えば放送開始時刻４１４や番組名４１５を視認するだけで時間変更番組か否かを認識でき、上記実施の形態のように、視線を時間変更アイコン４１７が表示される位置まで移動させる必要がない。したがって、記録再生装置２００は、番組データの配信状態をより適切に表示させることができる。
【００７２】
また、時間変更アイコン４１７を表示させずに、基本情報４１２の文字の大きさにより時間変更番組か否かを表示させる構成などとしてもよい。例えば時間変更番組の基本情報４１２の文字を時間変更番組以外の番組のものよりも大きく表示させる構成などとしてもよい。このような構成にすれば、利用者は、より大きく表示された基本情報４１２により、この基本情報４１２で示される番組が時間変更番組である旨を容易に認識できる。したがって、記録再生装置２００は、番組データの配信状態をさらに適切に表示させることができる。
【００７３】
そして、延長番組のジャンルに対応した時間変更アイコン４１７を表示させる構成などとしてもよい。例えば、延長番組が野球の場合に上述した野球のボール型の時間変更アイコン４１７を表示させ、例えばサッカーの場合にサッカーのボール型の時間変更アイコンを表示させる構成などとしてもよい。このような構成にすれば、利用者は、例えば延長番組に関する基本情報４１２が基本情報領域４１０に表示されていない状態でも、延長番組のジャンルを認識できる。したがって、記録再生装置２００は、番組データの配信状態をさらに適切に表示させることができる。
【００７４】
また、時間変更番組特定手段２５２Ａにて、延長番組の延長時間の時間長を認識し、この認識した時間長に対応した表示形態で基本情報４１２や時間変更アイコン４１７を表示させる構成などとしてもよい。例えば、基本情報４１２の背景や文字あるいは時間変更アイコン４１７の表示色を、延長時間が３０分の場合に赤色に設定し、１時間の場合に青色に設定する構成などとしてもよい。このような構成にすれば、利用者は、基本情報４１２や時間変更アイコン４１７の表示形態により、例えば延長番組が延長された場合に遅延される遅延番組の放送開始時刻を認識できる。したがって、記録再生装置２００は、番組データの配信状態をさらに適切に表示させることができる。
【００７５】
さらに、延長番組に対応する基本情報４１２や時間変更アイコン４１７を、遅延番組に対応する基本情報４１２や時間変更アイコン４１７とは異なる表示形態、例えば異なる表示色や表示の大きさで表示させる構成などとしてもよい。また、時間変更アイコン４１７を表示させずに、互いに表示形態が異なる、延長番組を示す延長番組アイコンと、遅延番組を示す遅延番組アイコンと、を表示させる構成などとしてもよい。これらのような構成にすれば、利用者は、基本情報４１２や時間変更アイコン４１７の表示形態により、放送時間が変更される番組が延長番組または遅延番組である旨を確実に識別できる。したがって、記録再生装置２００は、延長番組および遅延番組の時間変更アイコン４１７を同一の表示形態で表示させる上記実施の形態の構成と比べて、番組データの配信状態をさらに適切に表示させることができる。
【００７６】
そして、録画予約を設定する番組が時間変更番組の場合に、最初に設定カーソル５５０を延長時間領域５２４に表示させて利用者に録画を終了する時刻の変更を促す構成について例示したが、これに限らず例えば以下のような構成などとしてもよい。すなわち、最初に設定カーソル５５０を延長時間領域５２４に表示させずに、録画予約する番組が時間変更番組か否かに基づいて、録画予約設定画面５００の表示形態、例えば背景や文字の表示色などを設定する構成などとしてもよい。このような構成にすれば、利用者は、録画予約設定画面５００の表示形態により、録画予約する番組が時間変更番組か否かを認識できる。したがって、記録再生装置２００は、録画予約設定画面５００の表示時においても、番組データの配信状態を適切に表示させることができる。
【００７７】
また、延長時間領域５２４に、延長番組の延長時間にかかわらず延長時間部５２４Ａに３０分延長する旨を表示させる構成について例示したが、これに限らず例えば以下のような構成などとしてもよい。すなわち、番組詳細情報の例えば「最大延長午後９時２４分まで」の文字列で示される日時と、放送日時情報の放送終了日時と、に基づいて、延長されうる時間を演算し、この演算した時間を延長時間部５２４Ａに表示させる構成などとしてもよい。このような構成にすれば、記録再生装置２００は、最初に実際に延長されうる時間を延長時間部５２４Ａに表示させることができる。したがって、記録再生装置２００は、延長時間にかかわらず３０分延長する旨が延長時間部５２４Ａに表示される上記実施の形態の構成と比べて、延長する録画時間の設定をより容易にできる。
【００７８】
さらに、例えばジャンルが「スポーツ」の大ジャンル情報を有する番組個別情報を検索して延長番組を特定する構成について例示したが、これに限らず例えば延長される場合がある旨を示す「延長」の文字列を有する番組個別情報の全てを延長番組として特定する構成などとしてもよい。このような構成にすれば、時間変更番組特定手段２５２Ａに大ジャンル情報を検索する機能を設ける必要がなくなり、時間変更番組特定手段２５２Ａの構成を簡略化できる。したがって、記録再生装置２００のコストを低減できる。
【００７９】
そして、延長番組の放送終了時刻の時間帯に放送が開始される番組を遅延番組として特定する構成について例示したが、これに限らずたとえば以下のような構成などとしてもよい。すなわち、延長番組の放送終了後から例えば当日の午後１２時までに放送される全ての番組を遅延番組として特定する構成などとしてもよい。このような構成にすれば、時間変更番組特定手段２５２Ａは、延長番組の放送終了時刻が朝時間帯、昼夕時間帯、夜時間帯のうちのいずれかである旨を判断する処理を実施することなく遅延番組を特定できる。したがって、時間変更番組特定手段２５２Ａの処理負荷を抑えることができ、遅延番組の特定処理の高速化を容易に図ることができる。
【００８０】
さらに、延長番組より後に放送される所定の数、例えば３つの番組を遅延番組として特定する構成などとしてもよい。このような構成にすれば、時間変更番組特定手段２５２Ａは、例えば延長番組の放送終了時刻が昼夕時間帯の午後６時５７分の場合であっても、この延長番組の次に放送される夜時間帯の午後７時５分からの番組を遅延番組として特定できる。したがって、延長番組の放送終了時刻の時間帯によらず遅延番組を特定でき、上記実施の形態の構成と比べて番組データの配信状態をより適切に特定できる。
【００８１】
また、延長番組の放送終了時刻から所定の時間内、例えば３時間以内に放送される番組を遅延番組として特定する構成などとしてもよい。このような構成にすれば、時間変更番組特定手段２５２Ａは、例えば延長番組の放送終了時刻が朝時間帯の午前５時５４分の場合であっても、この延長番組の延長による影響を受けにくい例えば朝時間帯の午前１１時５７分から放送される番組を遅延番組として特定することがない。したがって、延長番組の延長による影響の受けやすさに対応する放送終了時刻からの経過時間に基づいて遅延番組を特定でき、上記実施の形態の構成と比べて番組データの配信状態をより適切に特定できる。
【００８２】
そして、例えば時間変更番組特定手段２５２Ａで特定した時間変更番組に録画予約が設定されていることを認識した際に、この録画予約の日時を時間変更番組の延長または遅延に対応した日時に変更する構成などとしてもよい。このような構成にすれば、記録再生装置２００は、利用者に録画予約日時の変更操作を実施させることなく、適切に時間変更番組の録画処理を実施できる。したがって、記録再生装置２００の使い勝手をさらに向上できる。
【００８３】
さらに、本発明の表示制御装置をアナログ放送の番組データを記録する記録再生装置２００に適用した構成について例示したが、これに限られない。例えば、データとしては、ＴＶ放送番組の他、ラジオ放送番組、衛星放送番組、デジタル放送番組、さらにはネットワークを介して配信される音楽データや映像データ、アプリケーションソフトウェア、ゲームソフトウェア、各種制御プログラムなども対象とすることができる。また、記録再生装置２００に適用した構成に限らず、例えばＥＰＧ取得制御手段２５１、時間変更番組特定手段２５２Ａ、番組表画面設定手段２５２Ｂ、および、予約画面表示制御手段２５３Ａを独立させた表示制御装置に適用してもよい。さらに、ＥＰＧ取得制御手段２５１、時間変更番組特定手段２５２Ａ、および、番組表画面設定手段２５２Ｂを独立させた時間変更番組表示制御装置に適用してもよい。
【００８４】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００８５】
その他、本発明の実施の際の具体的な構造および手順は、本発明の目的を達成できる範囲で他の構造などに適宜変更できる。
【００８６】
〔実施形態の作用効果〕
上述したように、上記実施形態では、記録再生装置２００の処理部２５０は、ＥＰＧデータを取得してメモリ２４０に記憶させる。そして、メモリ２４０に記憶されたＥＰＧデータに基づいて、放送時間が延長される場合がある番組を延長番組として、この延長番組の放送時間が延長された際に連動して放送開始日時が遅れる番組を遅延番組として、それぞれ特定する。この後、時間変更番組の基本情報４１２の左側に野球のボール型の時間変更アイコン４１７を表示させる制御をする。このため、利用者は、番組表画面４００の各番組に関する基本情報４１２とともに表示される時間変更アイコン４１７により、所定の番組の放送日時が変更される場合があるか否かを判断できる。また、利用者は、放送時間が延長される場合がある延長番組に加えてこの延長番組の延長に連動して放送開始日時が遅れる場合がある遅延番組も、放送日時が変更される場合がある番組として認識できる。したがって、記録再生装置２００は、番組データの配信状態を適切に表示させることができる。
【図面の簡単な説明】
【００８７】
【図１】本発明の一実施の形態に係る記録再生システムの概略構成を示すブロック図である。
【図２】前記一実施の形態における記録再生装置を構成する処理部の概略構成を示す模式図である。
【図３】前記一実施の形態における番組表画面の一例を示す模式図である。
【図４】前記一実施の形態における録画予約設定画面の一例を示す模式図である。
【図５】前記一実施の形態におけるＥＰＧデータを用いた録画予約設定処理を示すフローチャートである。
【図６】前記一実施の形態におけるＥＰＧデータを用いた録画予約設定処理を示すフローチャートである。
【符号の説明】
【００８８】
２１０    データ取得手段としても機能するチューナ部
２５０    演算手段としての処理部
２５１    表示制御装置を構成するデータ関連情報取得手段としてのＥＰＧ取得制御手段
２５２Ａ  表示制御装置を構成するデータ特定手段としての時間変更番組特定手段
２５２Ｂ  表示制御装置を構成する配信状態表示制御手段としての番組表画面設定手段
２５３Ａ  表示制御装置を構成する要求情報取得手段としても機能する取得条件表示制御手段としての予約画面表示制御手段
３２０    表示手段としての表示部
４１７    変更可能性を示唆する情報としての時間変更アイコン
【図１】
2006050048.tif 000003
【図２】
2006050048.tif 000004
【図３】
2006050048.tif 000005
【図４】
2006050048.tif 000006
【図５】
2006050048.tif 000007
【図６】
2006050048.tif 000008